(57)【要約】【課題】ピストンの熱膨張変形及び収縮復帰によって容器本体との液密な接触に支障が生じるのを防止し、常にピストンと容器本体との液密な接触状態を維持することで、液漏れを確実に阻止するとともにピストンの円滑な上下動を保証した液体吐出容器を提供する。【課題の解決手段】液体吐出容器１は、液体を収容する容器本体２の上部に液体吐出用のポンプ９を設け、容器本体２内の底部には、液漏れ防止用のピストン７を容器本体２内と外部との圧力差に応じて上下動可能に設けてなり、ピストン７の容器本体２と液密に接触する上端突縁７ｂの内側には、容器本体２と同一の熱膨張率を有する環状規制体８を設けたものである。【選択図】図１
2013199279.tif 000002
【特許請求の範囲】
【請求項１】
液体を収容する容器本体の上部に液体吐出用のポンプを設け、前記容器本体内の底部には、液漏れ防止用のピストンを前記容器本体内と外部との圧力差に応じて上下動可能に設けてなり、前記ピストンの前記容器本体と液密に接触する部分の少なくとも上端側の内側には、前記容器本体と同一の熱膨張率を有する環状規制体を設けてなることを特徴とする液体吐出容器。
【請求項２】
前記環状規制体は、円形リングで、前記ピストンに形成した上端リング溝内に、インサート成型により設けてなることを特徴とする請求項１記載の液体吐出容器。
【発明の詳細な説明】
【技術分野】
【０００１】
本発明は、化粧料などの各種液体を適量ずつ排出するポンプを備えた合成樹脂製の液体吐出容器に関する。
【背景技術】
【０００２】
従来のこの種容器は、化粧品やシャンプーの容器として使用され、種々の構成のものが知られているが、その一つとして、容器本体内の底部に液体の漏れを防ぐとともに、液体収容量変化に伴う容器本体内外の圧力差に応じて上下動するピストン（可動底板と称することもある）を有するものがある（特許文献１）。各構成要素の機能を十分に発揮させるため、通常、容器本体はポリエチレンテレフタレート（ＰＥＴ）からなり、ピストンはポリエチレン（ＰＥ）からなる。そして、ピストンは液漏れを防ぐために、容器本体とは液密に接触するよう成型されている。
【先行技術文献】
【特許文献】
【０００３】
【特許文献１】特開２０１１−２１３３８６号公報
【発明の概要】
【発明が解決しようとする課題】
【０００４】
従来の構成によると、容器の周辺温度が高温下から常温下に変化した場合、例えば夏季の自動車内に置かれた状態から、冷房が効いた室内に移された場合には、ＰＥの方がＰＥＴより熱膨張率が大きいので、ピストンの方が容器本体よりも大きく膨張変形したのち原状態に収縮復帰することになる。この際、ピストンは容器本体と接触しているため、均一に膨張変形することはできず、部分的に偏った状態で膨張変形する。したがって、原状態に収縮復帰した場合に、必ずしも原状態と完全に同一形状に復帰することはできないことがある。
【０００５】
このため、場合によっては、収縮復帰した際に、ピストンと容器本体とが液密に接触せず、隙間を生じてしまい、この隙間から液漏れを生じる虞がある。このように、従来においては、ピストンと容器本体の熱膨張率の相違により、容器のおかれた温度環境の変化によって、液漏れを生じる虞があるという不都合があった。この不都合は、液密を確保するために接触圧を大きくすれば解消されるが、これによると摩擦力が大きくなって、ピストンの円滑な上下動が阻害されるという別の不都合を生じるので、採用できない。本発明は、これらの不都合を解消し、温度環境の変化による影響を受けることなく、常に液漏防止が可能であるとともに、円滑な上下動を保証した液体吐出容器を提供することを目的とする。
【課題を解決するための手段】
【０００６】
この目的を達成するため本発明の請求項１に係る液体吐出容器は、液体を収容する容器本体の上部に液体吐出用のポンプを設け、前記容器本体内の底部には、液漏れ防止用のピストンを前記容器本体内と外部との圧力差に応じて上下動可能に設けてなり、前記ピストンの前記容器本体と液密に接触する部分の少なくとも上端側の内側には、前記容器本体と同一の熱膨張率を有する環状規制体を設けてなるものである。そして、前記ピストンの上端側での接触を液密に維持できれば、下端側の液密性を高度に保たなくても液漏れは確実に阻止できる。
【０００７】
また、同じく前記目的を達成するために、本発明の請求項２に係る液体吐出容器は、前記請求項１の構成において、前記環状規制体は、円形リングで、前記ピストンの上端リング溝内に、インサート成型により設けてなるものである。
【発明の効果】
【０００８】
本発明の請求項１に係る液体吐出容器によれば、熱膨張変形したピストンが原状に収縮復帰する際に、容器本体との接触部分の内側に設けた前記容器本体と同一の熱膨張率を有する環状規制体によって、原形状よりも内側に変形した状態となることを阻止されるので、常に容器本体と液密な接触状態を維持することができ、液漏れを確実に阻止するとともに、円滑な上下動を保証することができるという効果を奏する。
【０００９】
また、本発明の請求項２に係る液体吐出容器によれば、インサート成型によってピストン成型時に円形リングをピストンと一体的に設けるので、円形リングを所望状態で精度よくピストンに設けることができるという効果を奏する。
【図面の簡単な説明】
【００１０】
【図１】本発明の好適な一実施形態を示す中央縦断面図。
【図２】ピストンの他の実施形態を示す中央縦断面図。
【図３】同実施形態のピストンの成型工程を示す説明図。
【発明を実施するための形態】
【００１１】
以下、本発明の好適な一実施形態について説明すると、図１に示すように、合成樹脂製の液体吐出容器１は、ほぼ円筒状で上部が小径化されたＰＥＴからなる容器本体２と、この容器本体２の上部肩部に着脱自在に嵌着された蓋体３を備えている。前記容器本体２の開口底面は連通孔４ａ，４ｂを設けた底蓋４によって液密に閉塞され、前記容器本体２の小径部分には、上面に設置されたパッキン５を介して液密にポンプ取付筒６が螺着されている。
【００１２】
また、容器本体２内の底部には、二重円筒状で上面が閉塞されたＰＥからなるピストン７が液密に配置され、液体が容器本体２内に満ちている初期状態時には、前記ピストン７は底蓋４上に位置する最下降位置にある（実線図示状態）。ピストン７は、外筒７ａの上端から延出する環状突縁７ｂの外周面と外筒７ａの下端外周面が、肉薄状に形成されて容器本体２の内周面に液密に接触している。そして、前記環状突縁７ｂの外周面における接触面がより広く、より密接に接触している。このピストン７の外筒７ａと内筒７ｃとの間には、ＰＥＴからなる環状規制体８が嵌合され、環状規制体８の上端リング部８ａは前記環状突縁７ｂの基端部分の内側に対応位置している。
【００１３】
一方、ポンプ取付筒６には、容器本体２内に充填された液体を適量ずつ、液体吐出容器１外に排出するポンプ９が取り付け固定されている。このポンプ９の上端に位置する昇降筒１０には、駆動ヘッド１１の嵌合筒１１ａが嵌合されている。前記駆動ヘッド１１の外周面下端は、ポンプ取付筒６の上面に一体的に立設された環状の案内壁６ａの内周面と当接している。また、前記駆動ヘッド１１の嵌合筒１１ａに連通するように吐出ノズル１１ｂを一体的に設けている。
【００１４】
ここで、ポンプ９の構成について説明する。昇降筒１０はポンプ取付筒６の上部小径筒部６ｂに昇降可能に支持され、下部は肉薄となって段部が形成され、この段部下面と環状のバケット１２との間に配設されたコイルバネ１３によって上方に弾発付勢される一方、昇降筒１０の前記段部上面が前記上部小径筒部６ｂの上端内周突縁下面に係合し、上昇方向への移動を規制している。
【００１５】
バケット１２は、ほぼ円筒状のハウジング１４の上端大径部分内に配置された作動棒１５の突縁部１５ａ上に配置されて、昇降筒１０が下降するとコイルバネ１３によって下方に弾発付勢され、前記作動棒１５も前記バケット１２を介して前記コイルバネ１３によって下方に弾発付勢される。また、前記ハウジング１４の上端は前記ポンプ取付筒６の上部小径筒部６ｂに嵌合固定され、前記ハウジング１４の下部内面には弁座１６が設けられ、この弁座１６にはボール弁１７が配置されている。
【００１６】
ボール弁１７と作動棒１５の突縁部１５ａ下面との間にはコイルバネ１８が配設され、図１に示す待機状態時には、前記ボール弁１７を下方に弾発付勢し、前記作動棒１５を上方に弾発付勢している。このコイルバネ１８の弾発付勢力はコイルバネ１３の弾発付勢力よりは弱く設定されており、前記ボール弁１７は図１に示す待機状態時には閉塞状態に維持される。なお、１９はハウジング１４に嵌合されたカバー体である。
【００１７】
続いて、上述した実施形態の動作を説明する。容器本体２内に液体（図示せず）が充満している使用初期の待機状態において（図１図示状態）、蓋体３を外して駆動ヘッド１１を押し下げると、昇降筒１０も下降し、バケット１２及び作動棒１５もコイルバネ１３の弾発付勢力によって下降する。これによって、昇降筒１０内の圧力が高まるとともに、ハウジング１４内における作動棒１５の突縁部１５ａから下の空間の圧力が高まり、この圧力によって前記突縁部１５ａから下の空間の液体は前記突縁部１５ａから上の空間にバケット１２との空隙を通って移動し始める。
【００１８】
さらに、駆動ヘッド１１を押し下げて、嵌合筒１１ａの下端がポンプ取付筒６の上部小径筒部６ｂ上端面と接する最下降位置まで達すると、下降が阻止される。この状態でハウジング１４内の液体への圧力は最大となり、昇降筒１０内の液体とともに、吐出ノズル１１ｂから吐出される。
【００１９】
ここで、駆動ヘッド１１に加えていた押し下げ力を解除すると、各コイルバネ１３，１８の弾発力で原位置に復帰し、待機状態となる。この時、各ハウジング１４内の圧力は容器本体２内の圧力よりも小さくなり、ボール弁１７が開放状態となり、ハウジング１４内に容器本体２内の液体が流入し、次の動作に備える状態となる。
【００２０】
このようにして、容器本体２内の液体が吐出されて液量が減少すると、容器本体２内の圧力が外部の圧力より低くなるので、この圧力差によってピストン７は上昇する。そして、ピストン７の環状突縁７ｂと容器本体２内面とは常に液密に接しているので、液体が漏れたり、外部の空気が進入することはない。ここで、使用環境による周辺温度に大きな変化が生じても、環状規制体８は容器本体２と同一の熱膨張率を有するので、両者の関係を同一に維持し、特に上端リング部８ａが前記環状突縁７ｂの収縮復帰時の原状態維持を保証し、液密状態は常に確実なものとなる。このため、容器本体２内は、常に液体のみが存在し、空気が混入することがなく、ポンプの吐出動作は円滑、かつ確実になされる。
【００２１】
次に、本発明のピストンに関する第２の実施形態を図２及び図３に基づいて説明する。図２に示すように、ピストン２１は、二重円筒状で上面が閉塞されたＰＥからなる。このピストン２１は、外筒２１ａの上端から延出する環状突縁２１ｂの外周面と外筒２１ａの下端外周面が肉薄に形成されて、容器本体２（図１参照）の内周面に液密に接触する。そして、前記環状突縁２１ｂの外周面における接触面がより広く、より密接に接触している。このピストン２１の外筒２１ａと内筒２１ｃとの間には、上端リング溝２２が形成され、この上端リング溝２２内にＰＥＴからなる環状規制体たる円形の規制リング２３が嵌合され、この規制リング２３は前記環状突縁２１ｂの基端部分の内側に対応位置している。
【００２２】
続いて、図３に基づきピストン２１の成型工程を説明する。まず、上金型３１と下金型３２が離反して開いている状態（図３ａ）で、別途成型した規制リング２３を下金型３２に所定状態でセットし（図３ｂ）、両金型３１，３２を閉じる（図３ｃ）。次いで、溶融ＰＥ樹脂をゲートから金型３１，３２のキャビティ内に充填し、ピストン２１を成型する（図３ｄ）。溶融ＰＥ樹脂が固化した後、金型３１，３２を開いて（図３ｅ）、成型したピストン２１を取り出す（図３ｆ）。
【００２３】
なお、本発明は、上述した各実施形態に限定されるものではなく、例えば、環状規制体８，２３の形状は図示のものに限定されず、ピストン７，２１の形状に応じて適宜変更可能である。また、容器本体２と環状規制体８，２３は熱膨張率が同一であればよく、必ずしも同一の合成樹脂材を用いる必要はない。
【符号の説明】
【００２４】
１      液体吐出容器
２      容器本体
３      蓋体
４      底蓋
６      ポンプ取付筒
７      ピストン
７ｂ      環状突縁
８      環状規制体
９      ポンプ
２１      ピストン
２１ｂ      環状突縁
２２      上端リング溝
２３      規制リング
【図１】
2013199279.tif 000003
【図２】
2013199279.tif 000004
【図３】
2013199279.tif 000005